(57)【要約】【課題】本発明はＩＣカード等の可搬型記録媒体を使用して認証印刷を行う印刷システムに関し、特にホスト機器にカードリーダ等を設置する必要がなく、かつ暗証番号の入力を毎回行う必要がなく、ホスト機器で作成した印刷ファイルの認証印刷を印刷装置で簡単に行うことができる印刷システムを提供するものである。【解決手段】端末装置１にはＩＣカードリーダ等のカード読み取り装置は設置されておらず、暗証番号を最初入力し、印刷ファイルに含めて印刷装置２に転送する。印刷装置２では同じ暗証番号の入力を確認し、翳されたＩＣカード３の固体識別番号(UID)を読み取り、暗証番号と固体識別番号(UID)を紐付けして認証情報ファイルとして端末装置１に登録し、以後この認証情報ファイルを参照し、認証印刷を行う構成であり、以後ＩＣカード３を印刷装置２に翳すだけで認証印刷が可能になる。【選択図】  図１
2008087270.tif 000002
【特許請求の範囲】
【請求項１】
ネットワークを介して接続された端末装置と印刷装置とを含む印刷システムにおいて、
前記端末装置は、
暗証番号の入力を初回のみ行う入力手段と、
該暗証番号の情報を印刷データに付加し印刷ファイルを生成し、前記印刷装置に送信する送信手段とを有し、
前記印刷装置は、
可搬型記録媒体から固体識別番号の情報を読み取る読取手段と、
最初に印刷ファイルを受信した際、前記読取手段によって読み取った固体識別番号の情報と前記暗証番号の紐付け処理を行う手段と、
該紐付け処理が行われた認証情報ファイルを前記端末装置に送信する手段と、
以後の印刷データを受信した際、前記固体識別番号の情報に基づいて、前記認証情報ファイルの情報を参照し、印刷データの認証印刷を行うことを特徴とする印刷システム。
【請求項２】
前記認証情報ファイルは、前記端末装置に記憶されていることを特徴とする請求項１記載の印刷システム。
【請求項３】
前記認証情報ファイルは、前記印刷装置に記憶されていることを特徴とする請求項１記載の印刷システム。
【請求項４】
前記印刷装置から端末装置への認証情報ファイルの送信は、メールを使用して送信することを特徴とする請求項１、２、又は３記載の印刷システム。
【請求項５】
前記紐付け処理は、前記印刷装置に印刷ファイルが転送された後、所定時間内に可搬型記録媒体から固体識別番号の情報を読み取った場合行われることを特徴とする請求項１、２、３、又は４記載の印刷システム。
【発明の詳細な説明】
【技術分野】
【０００１】
本発明はネットワークを介して接続されたホスト機器と印刷装置とを含む印刷システムであり、ＩＣカード等の可搬型記録媒体を使用して認証印刷を行う印刷システムに関する。
【背景技術】
【０００２】
今日、コンピュータネットワークが広く使用され、例えばＬＡＮ（ローカルエリアネットワーク）等のネットワークに印刷装置を接続し、パーソナルコンピュータ（ＰＣ）等のホスト機器から印刷データを供給して印刷処理を行う印刷システムが使用されている。このようなシステムにおいては、ホスト機器と印刷装置が離れた場所に設置される場合が多く、秘匿性にある文書を印刷する場合、印刷物を他人に読まれる心配がある。
【０００３】
そこで、従来各種の認証方法を用いて認証印刷を行っている。例えば、ホスト機器で指定した暗証番号を印刷装置のボタン操作によって入力し、暗証番号の一致を判断して認証印刷を行っている（以下、暗証番号認証印刷で示す）。特許文献１はこの認証印刷の例である。
【０００４】
一方、ホスト機器側でＩＣカードを翳し、印刷装置側でもＩＣカードを翳し、ＩＣカードから読み出したＵＩＤ（Unique Item Identification）を確認することによって、認証印刷を行う方法も行われている（以下、ＩＣカード認証印刷で示す）。特許文献２はこの認証印刷の例である。
【特許文献１】特開平０５−２２１０８９号公報
【特許文献２】特開２０００−１８２１８７号公報
【発明の開示】
【発明が解決しようとする課題】
【０００５】
しかしながら、上記ＩＣカード認証印刷の場合、ホスト機器側にもＩＣカードからデータを読み出すための読み出し装置（カードリーダ）が必要になり、装置のコストアップの原因となる。また、ＩＣカードを使用する場合、セキュリティの観点からホスト機器へのログオン認証や、離席時のＰＣ画面ロック、解除認証等への利用も可能であるが、認証印刷に際してホスト機器のセキュリティまでも考慮する必要はない。
【０００６】
一方、上記暗証番号認証印刷の場合、ホスト機器において印刷ファイルを作成する際、暗証番号の入力を毎回行わなければならず、煩雑である。
そこで、本発明はホスト機器にカードリーダ等を設置する必要がなく、かつ暗証番号の入力を毎回行う必要がなく、ホスト機器で作成した印刷ファイルの認証印刷を印刷装置で容易に行うことができる印刷システムを提供するものである。
【課題を解決するための手段】
【０００７】
上記課題は本発明によれば、ネットワークを介して接続された端末装置と印刷装置とを含む印刷システムにおいて、前記端末装置は、暗証番号の入力を初回のみ行う入力手段と、該暗証番号の情報を印刷データに付加し印刷ファイルを生成し、前記印刷装置に送信する送信手段とを有し、前記印刷装置は、可搬型記録媒体から固体識別番号の情報を読み取る読取手段と、最初に印刷ファイルを受信した際、前記読取手段によって読み取った固体識別番号の情報と前記暗証番号の紐付け処理を行う手段と、該紐付け処理が行われた認証情報ファイルを前記端末装置に送信する手段と、以後の印刷データを受信した際、前記固体識別番号の情報に基づいて、前記認証情報ファイルの情報を参照し、印刷データの認証印刷を行う印刷システムを提供することによって達成できる。
【０００８】
このように構成することにより、端末装置にカードリーダ等を設置すること無く、端末装置で作成した印刷ファイルの認証印刷を簡単に行うことができる。また、印刷処理毎に端末装置に対して暗証番号の入力を行うこと無く、認証印刷を行うことができる。
【０００９】
また、前記認証情報ファイルは、例えば前記端末装置に記憶され、又は前記印刷装置に記憶されている構成である。
また、前記印刷装置から端末装置への認証情報ファイルの送信は、例えば電子メールを使用して送信する構成である。
【００１０】
さらに、前記紐付け処理は、例えば前記印刷装置に印刷ファイルが転送された後、所定時間内に可搬型記録媒体から固体識別番号の情報を読み取った場合に行われる構成である。この場合、所定時間を経過すると送信された印刷ファイルは削除される。
【発明の効果】
【００１１】
本発明によれば、端末装置にカードリーダ等を設置すること無く、端末装置で作成した印刷ファイルの認証印刷を行うことができ、装置をコストダウンすることができる。
また、印刷処理毎に端末装置に対して暗証番号の入力を行う必要がなく、煩雑な操作を無くし、効率のよい認証印刷が可能となる。
【発明を実施するための最良の形態】
【００１２】
以下、図面を参照しながら本発明の実施の形態について説明する。
（実施形態１）
図１は本実施形態の印刷システムの全体構成を説明する図である。
【００１３】
同図において、端末装置１ａ、１ｂ、１ｃはパーソナルコンピュータ（ＰＣ）等のホスト機器であり、ＬＡＮ（Ethernet（登録商標））を介して印刷装置２に接続されている。端末装置１ａ、１ｂ、１ｃには、それぞれ対応する認証情報ファイルを記憶するハードディスク４ａ、４ｂ、４ｃが設けられている。一方、印刷装置２には、ＩＣカード３から固体識別番号(UID)を取得するための読取装置として、ＩＣカードR/Wが内蔵されている。
【００１４】
図２は上記端末装置１ａ、１ｂ、１ｃ（以下、代表して端末装置１で示す）の構成を説明する図である。同図に示すように、端末装置１はＣＰＵ６、表示制御部７、入力制御部８、ＵＳＢ通信制御部９、ＬＡＮ通信制御部１０、記憶部１１で構成されている。さらに、表示制御部７にはディスプレイ１２が接続され、入力制御部８にはキーボード１３が接続され、ＵＳＢ通信制御部９にはＵＳＢメモリ等が接続される。
【００１５】
記憶部１１は、ＲＯＭ１４、ＲＡＭ１５、ＨＤＤ１６で構成され、ＨＤＤ１６の中には本例の処理に必要なプログラムである印刷装置ドライバ１７、認証情報管理ツール１８が記憶されており、また認証情報ファイル１９が格納される。これらのプログラム及びファイルは、後の図４以降で説明する処理フローの中で説明する。
【００１６】
一方、図３は印刷装置２の構成を示す。同図に示すように、ＰＰＲ制御部２０には、認証制御部(認証エンジン)２１、表示操作制御部２２、ＬＡＮ通信制御部２３、記憶装置制御部２４、印刷機構部２６が設けられている。さらに、認証制御部２１には認証デバイスとして、IC Card R/W２５が接続され、表示操作制御部２２には表示操作部２８が接続され、記憶装置制御部２４には記憶装置部(HDD)２７が接続されている。
【００１７】
尚、ＩＣカード３は、本例で使用する固体識別番号(UID)を記憶し、例えば非接触型のＩＣカードである。
以下、本例の処理を説明する。
【００１８】
図４は、本例の認証印刷処理を説明するフローチャートである。尚、同図に示す左側の処理は端末装置１の処理を示し、右側の処理は印刷装置２の処理を示す。
先ず、アプリケーションに従って印刷データを作成し、当該アプリケーションの操作で印刷指示を行う（ステップ（以下、Ｓで示す）１）。次に、印刷装置ドライバ１７のプロパティ画面を表示し、必要な設定を行う（Ｓ２）。
【００１９】
この処理を具体的に説明する図が、図５に示すフローチャートである。先ず、暗証番号認証印刷の指示を行う（Ｓ２−１）。そして、認証情報登録モードをオンに設定する（Ｓ２−２）。この認証情報登録モードは認証印刷に並行して、２回目以降の認証印刷のため暗証番号認証情報の登録を行うモードであり、最初の処理ではこのモードをオンに設定する。次に、暗証番号を指定する（Ｓ２−３）。例えば、前述のキーボード１３を操作し、暗証番号の情報を入力制御部８を介して、例えばＲＡＭ１５に一旦格納する。
【００２０】
次に、印刷ファイルの生成を行う（Ｓ３）。この印刷ファイルの生成処理を詳しく説明する図が、図６に示すフローチャートである。先ず、認証情報登録フラグ（ＦＬＧ）として「１」を書き込む（Ｓ３−１）。このフラグは、認証情報登録モードが前述のようにオンに設定されていると「１」が設定される。尚、認証情報登録モードがオフに設定されている場合「０」が設定される。
【００２１】
次に、親展保留フラグ（ＦＬＧ）に「１」をセットし、親展保留継続時間（Ｔ）を書き込む（Ｓ３−２）。この親展保留フラグ（ＦＬＧ）のセットは、前述の暗証番号認証印刷が選択された場合、自動的に「１」のフラグがセットされる。また、親展保留継続時間（Ｔ）は、例えば印刷ファイルの内容等によって設定され、文書毎に異なる時間が設定される。また、この親展保留継続時間（Ｔ）は、後述するように親展保留継続時間（Ｔ）を超えた場合、保留中の印刷ファイルを削除する目的に使用される。
【００２２】
次に、認証手段の選択処理を行う（Ｓ３−３）。この選択処理は、暗証番号又はＩＣカードの選択であり、本例では前述のように暗証番号の選択を行う。
次に、その他必要となる設定情報、例えば必要な書式設定等を行い、その後ログイン名を取得し、書き込み処理を行う（Ｓ３−４、Ｓ３−５）。上記処理は、後述する認証情報構造体を生成する上で必須の情報項目である。
【００２３】
次に、前述の処理（Ｓ２−３）によって指定された暗証番号をＲＡＭ１５から取得し、書き込み処理を行う（Ｓ３−６）。さらに、その他必要となるユーザ情報、例えば端末機器名や社員番号等の情報を取得し、書き込み処理を行う（Ｓ３−７）。このようにして端末機器１側での印刷ファイルの生成処理を完了すると（Ｓ３−８）、生成された印刷ファイルを印刷装置２に転送する（Ｓ４）。
【００２４】
一方、印刷装置２は親展保留状態で待機しており（Ｓ５）、上記印刷ファイルを受信すると暗証番号の認証処理を行う（Ｓ６）。図７はこの処理を具体的に説明するフローチャートである。
【００２５】
先ず、上記印刷ファイルを受信すると、親展保留経過時間を計数し、予め設定した前述の親展保留継続時間（Ｔ）を超えないか判断する（Ｓ６−１）。この間、印刷装置２の操作が行われ、前述の暗証番号の入力があると（Ｓ６−１がＹＥＳ）、印刷ファイル内に格納された暗証番号との一致判断が行われる（Ｓ６−３）。そして、両暗証番号が一致していれば（Ｓ６−３がＹＥＳ）、次のカード読みとり処理に移行する。
【００２６】
一方、印刷装置２への暗証番号の入力が無く、親展保留経過時間が予め設定した親展保留継続時間（Ｔ）を超えてしまった場合（Ｓ６−２がＮＯ）、印刷装置２に保留された印刷ファイルの削除処理を行う（Ｓ６−４）。
【００２７】
次に、図４に示す処理に戻り、カードの読み取り処理は、上記暗証番号が一致した場合行われ、印刷装置２の利用者が前述のＩＣカード３を翳すことによって、IC Card R/W２５はＩＣカード３に記録された固体識別番号(UID)を読み出し（Ｓ７）、認証情報構造体への情報の追加処理を行う（Ｓ８）。
【００２８】
図８は、上記認証情報構造体への情報の追加処理を説明するフローチャートである。先ず、印刷ファイルに含まれるログイン名にＩＣカード３から取得した固体識別番号(UID)を紐付け処理を行う（Ｓ８−１）。すなわち、図９に示すように、印刷ファイルのジョブＩＤ、依頼書情報と共に記録されたログイン名に対応付け、固体識別番号(UID)を登録する。同図に示す例では、ログイン名（ｍ−takahashi）に対応付け、固体識別番号(UIDa)の紐付け処理が行われ、またログイン名（ｎ−yamamoto）に対応付け、固体識別番号(UIDb)の紐付け処理が行われた例である。  
【００２９】
次に、認証情報構造体に上記紐付け処理を行ったログイン名と固体識別番号(UID)をレコードに追加する（Ｓ８−２）。尚、上記認証情報構造体は印刷装置２の記憶装置部(HDD)２７に一時的に構築されたデータベースである。そして、認証情報構造体は暗号化処理が施され、認証情報ファイルとして保存される（Ｓ８−３）。
【００３０】
その後、印刷装置２は印刷ファイルの印刷処理を実行し、保留中の印刷ファイルを削除する（Ｓ９、Ｓ１０）。
一方、端末装置１では、図１０に示すフローチャートに従って前述の認証情報管理ツール１８を起動し（Ｓ１１）、認証情報ファイルのリストを取得する（Ｓ１２）。すなわち、認証情報管理ツール１８によって暗号化した認証情報ファイルの参照、及び取得処理を行う。
【００３１】
図１１は端末装置１のディイスプレイに表示する認証情報ファイルのリスト表示例である。このリストを確認し、対応する認証情報ファイルを選択する（Ｓ１３）。すなわち、図１１に示す認証情報ファイルのリストから印刷ファイルを選択し、ログイン名、固体識別番号(UID)、認証媒体識別等の情報を取得する（Ｓ１４）。そして、印刷装置２から取得した認証情報ファイルを指定された記憶装置部(HDD)２７のフォルダ領域に記憶する（Ｓ１５）。
【００３２】
その後、印刷装置ドライバ１７の設定によって、固体識別番号(UID)が取得可能なことを確認し（Ｓ１６）、例えばＩＣカード３を使用してテスト印刷を行い（Ｓ１７）、目的とする印刷物の取得を確認し、設定処理を完了する（Ｓ１８）。
【００３３】
以上のようにして、端末装置１のＨＤＤ１６には認証情報ファイル１９が記憶され、以後認証印刷を行う際、端末装置１に暗証番号の入力処理を行うことなく、印刷装置２にＩＣカード３を翳すだけで固体識別番号(UID)を読み出し、認証情報ファイル１９に登録された紐付け情報を確認し、認証印刷を行うことができる。
【００３４】
例えば、ＩＣカード３から取得した固体識別番号が(UIDｂ)の場合、印刷装置２は端末装置１の認証情報ファイルを検索し、上記固体識別番号に対応する暗証番号が分かり、印刷ファイルの認証印刷を行うことができる。
【００３５】
尚、本例は上記構成の印刷装置２に代えて、複合機（以下、ＭＦＰ（多機能印刷装置・マルチファンクションプリンタ）で示す）を使用してもよい。この複合機の構成を説明すると、図１２に示すように、複合機はスキャナ部２９、MFP制御部３０、プリンタ部３１で構成されている。スキャナ部２９は読取機構部３２を含み、ＭＦＰ制御部３０の読取機構制御部３３に接続されている。
【００３６】
MFP制御部３０は、MFP制御部(メイン)３４、読取機構制御部３３、認証制御部(認証エンジン)３５、表示操作制御部３６、FAX通信制御部３７、LAN通信制御部３８、インターネット通信制御部３９、記憶装置制御部４０、及び記憶装置部(HDD)４１で構成されている。さらに、認証制御部３５には認証デバイスとしてIC Card R/W３９が接続され、表示操作制御部３６には表示操作部４２が接続されている。
【００３７】
また、プリンタ部３１はPPR制御部４４及び印刷機構部４５で構成され、PPR制御部４４に供給される印刷データやファクシミリデータに対して、印刷機構部４５を駆動して用紙に印刷出力を行う。したがって、上記構成の複合機を使用しても、前述と同様な認証印刷を行うことができる。
【００３８】
（実施形態２）
次に、本発明の実施形態２について説明する。
図１３は、本実施形態の印刷システムの全体構成を説明する図である。尚、同図において、前述の図１と同じ構成部分には同じ番号を使用して説明する。
【００３９】
本例においても、前述の実施形態と同様、端末装置１ａ、１ｂ、１ｃはパーソナルコンピュータ（ＰＣ）等のホスト機器であり、ＬＡＮ（Ethernet（登録商標））を介して印刷装置２に接続されている。また、端末装置１ａ、１ｂ、１ｃには、それぞれ対応する認証情報ファイルを記憶するハードディスク４ａ、４ｂ、４ｃが設けられているが、メールサーバ５０を介して認証情報ファイルが送信される構成である。一方、印刷装置２には、前述と同様ＩＣカード３から固体識別番号(UID)を取得するための読取装置（ＩＣカードR/W）が内蔵されている。以下、本例の処理を具体的に説明する。
【００４０】
図１４は、本例の処理を説明するフローチャートであり、前述と同様、同図に示す左側の処理は端末装置１の処理を示し、右側の処理は印刷装置２の処理を示す。
先ず、アプリケーションに従って印刷データを作成し、当該アプリケーションの操作で印刷指示を行い（ステップ（以下、ＳＴで示す）１）、印刷装置ドライバ１７のプロパティ画面を表示し、必要な設定を行う（ＳＴ２）。この処理を具体的に説明する図が、図１５に示すフローチャートであり、以下の処理を行う。
【００４１】
すなわち、先ず、暗証番号認証印刷の指示を行い（ＳＴ２−１）、認証情報制御ファイルの作成を選択する（ＳＴ２−２）。次に、暗証番号を指定し（ＳＴ２−３）、更にメールアドレスを指定する（ＳＴ２−４）。このメールアドレスは、端末装置１のメールアドレスであり、作成した認証情報ファイルを添付したメールを端末装置１に送信するためのメールアドレスである。
【００４２】
次に、認証情報制御ファイルの生成を行う（ＳＴ３）。この認証情報制御ファイルの生成処理を詳しく説明する図が図１６に示すフローチャートであり、前述の図６に示す処理と同様である。すなわち、先ず認証情報登録フラグ（ＦＬＧ）として「１」を書き込み（ＳＴ３−１）、親展保留フラグ（ＦＬＧ）に「１」をセットし、親展保留継続時間（Ｔ）を書き込む（ＳＴ３−２）。
【００４３】
次に、認証手段として暗証番号を選択し（ＳＴ３−３）、その他必要となる設定情報、例えば必要な書式設定等を行い、ログイン名を取得し、書き込み処理を行う（ＳＴ３−４、ＳＴ３−５）。次に、前述の処理（ＳＴ２−３）によって指定した暗証番号をＲＡＭ１５から取得し、書き込み処理を行い（ＳＴ３−６）、更に前述の処理（ＳＴ２−４）によって指定したメールアドレスの情報を取得し、書き込み処理を行い（ＳＴ３−７）。
【００４４】
その後、その他必要となるユーザ情報の書き込み処理を行い（ＳＴ３−８）、認証情報制御ファイルの生成処理を完了し（ＳＴ３−９）、生成された認証情報制御ファイルは印刷装置２に転送する（ＳＴ４）。
【００４５】
一方、印刷装置２は親展保留状態で待機しており（ＳＴ５）、上記印刷ファイルを受信すると暗証番号の認証処理を行う（ＳＴ６）。図１７は、前述の図７と同様、この処理を具体的に説明するフローチャートである。
【００４６】
先ず、上記認証情報制御ファイルを受信すると、親展保留経過時間を計数し、予め設定した前述の親展保留継続時間（Ｔ）を超えないか判断する（ＳＴ６−１）。この間、印刷装置２の操作が行われ、前述の暗証番号の入力があると（ＳＴ６−２がＹＥＳ）、印刷ファイル内に格納された暗証番号との一致判断を行い（ＳＴ６−３）、両暗証番号が一致していれば（ＳＴ６−３がＹＥＳ）、次のカード読みとり処理に移行する。
【００４７】
一方、印刷装置２への暗証番号の入力が無く、親展保留経過時間が予め設定した親展保留継続時間（Ｔ）を超えてしまった場合（ＳＴ６−１がＮＯ）、印刷装置２に保留された印刷ファイルの削除処理を行う（ＳＴ６−４）。
【００４８】
次に、図１４に示す処理に戻り、カードの読み取り処理は、上記暗証番号が一致した場合行われ、印刷装置２の利用者が前述のＩＣカード３を翳すことによって、IC Card R/W２５はＩＣカード３に記録された固体識別番号(UID)を読み出し（ＳＴ７）、認証情報構造体への情報の追加処理を行う（ＳＴ８）。
【００４９】
図１８は、上記認証情報構造体への情報の追加処理を説明するフローチャートである。先ず、前述の処理により取得したログイン名にＩＣカード３から取得した固体識別番号(UID)の紐付け処理を行う（ＳＴ８−１）。この紐付け処理は、前述の図９に示す例と同様に行う。その後、暗号化処理を施し、認証情報ファイルとして保存する（ＳＴ８−２）。
【００５０】
次に、上記のようにして作成した認証情報ファイルの送信処理を行う（ＳＴ９）。この処理は、図１９に示すように作成された認証情報ファイルから前述のメールアドレスを取得し、認証情報ファイルを添付ファイルとして上記メールアドレスに送信する（ＳＴ９−２）。その後、印刷装置２は印刷ファイルの印刷処理を実行し、保留中の印刷ファイルを削除する（ＳＴ１０）。
【００５１】
一方、端末装置１ではメールサーバ５０を介して送信される認証情報ファイルを待ち、上記メールを受信すると認証情報ファイルを展開し（ＳＴ１１）、前述の認証情報管理ツール１８を起動する（ＳＴ１２）。次に、展開された認証情報ファイルを選択し（ＳＴ１３）、指定された記憶装置部(HDD)２７のフォルダ領域に認証情報ファイルを記憶する（ＳＴ１４）。
【００５２】
その後、前述と同様、印刷装置ドライバ１７の設定によって、固体識別番号(UID)が取得可能なことを確認し、例えばＩＣカード３を使用してテスト印刷を行い、目的とする印刷物の取得を確認し、設定処理が完了する（ＳＴ１５）。
【００５３】
以上のように、本例では暗証番号と固体識別番号(UID)が紐付けされた認証情報ファイルの情報をメールに添付し、端末装置１に送信し、端末装置１に記憶することによって、以後認証印刷を行う際、端末装置１に暗証番号の入力処理を行うことなく、印刷装置２にＩＣカード３を翳すだけで固体識別番号(UID)を読み出し、認証情報ファイル１９に登録された紐付け情報を確認し、認証印刷を行うことができる。
【００５４】
尚、本例においても、印刷装置２に代えて、前述の複合機を使用する構成としてもよい。また、上記実施形態１及び２における説明において、最初に端末装置１に設定する認証手段として、暗証番号を使用したが、暗証番号に係わらず、例えば指紋や静脈パターン等を使用する構成でもよい。さらに、認証情報ファイルを端末装置１に記憶したが、端末装置１に限らず、例えばネットワーク上のプリンタサーバや、印刷装置２自体に記憶する構成としてもよい。
【図面の簡単な説明】
【００５５】
【図１】実施形態１の印刷システムの全体構成を説明する図である。
【図２】端末装置の構成を説明する図である。
【図３】印刷装置の構成を示す図である。
【図４】実施形態１の認証印刷処理を説明するフローチャートである。
【図５】プロパティ画面に於ける処理動作を説明するフローチャートである。
【図６】印刷ファイルの生成処理を説明するフローチャートである。
【図７】認証処理を具体的に説明するフローチャートである。
【図８】認証情報構造体への情報の追加処理を説明するフローチャートである。
【図９】認証情報構造体の構成を説明する図である。
【図１０】固体識別番号(UID)の紐付け処理を説明するフローチャートである。
【図１１】端末装置のディイスプレイに表示する認証情報ファイルのリスト表示例を示す図である。
【図１２】複合機の構成を示す図である。
【図１３】実施形態２の印刷システムの全体構成を説明する図である。
【図１４】実施形態２の認証印刷処理を説明するフローチャートである。
【図１５】プロパティ画面に於ける処理動作を説明するフローチャートである。
【図１６】印刷ファイルの生成処理を説明するフローチャートである。
【図１７】認証処理を具体的に説明するフローチャートである。
【図１８】固体識別番号(UID)の紐付け処理を説明するフローチャートである。
【図１９】認証情報ファイルの送信処理を説明する図である。
【図２０】端末装置に認証情報ファイルを登録する処理を説明するフローチャートである。
【符号の説明】
【００５６】
１、１ａ、１ｂ、１ｃ・・端末装置
２・・・印刷装置
３・・・ＩＣカード
４ａ、１ｂ、１ｃ・・認証情報ファイル
６・・・ＣＰＵ
７・・・表示制御部
８・・・入力制御部
９・・・ＵＳＢ通信制御部
１０・・ＬＡＮ通信制御部
１１・・記憶部
１２・・ディスプレイ
１３・・キーボード
１４・・ＲＯＭ
１５・・ＲＡＭ
１６・・ＨＤＤ
１７・・印刷装置ドライバ
１８・・認証情報管理ツール
１９・・認証情報ファイル
２０・・ＰＰＲ制御部
２１・・認証制御部(認証エンジン)
２２・・表示操作制御部
２３・・ＬＡＮ通信制御部
２４・・記憶装置制御部
２５・・印刷機構部
２６・・表示操作部
２７・・記憶装置部(HDD)
２９・・スキャナ部
３０・・MFP制御部
３１・・プリンタ部
３２・・読取機構部
３３・・読取機構制御部
３４・・制御部(メイン)
３５・・認証制御部(認証エンジン)
３６・・表示操作制御部
３７・・FAX通信制御部
３８・・LAN通信制御部
３９・・インターネット通信制御部
４０・・記憶装置制御部
４１・・記憶装置部(HDD)
４２・・表示操作部
４４・・PPR制御部
４５・・印刷機構部
５０・・メールサーバ
【図２】
2008087270.tif 000003
【図３】
2008087270.tif 000004
【図４】
2008087270.tif 000005
【図５】
2008087270.tif 000006
【図６】
2008087270.tif 000007
【図７】
2008087270.tif 000008
【図８】
2008087270.tif 000009
【図９】
2008087270.tif 000010
【図１０】
2008087270.tif 000011
【図１２】
2008087270.tif 000012
【図１４】
2008087270.tif 000013
【図１５】
2008087270.tif 000014
【図１６】
2008087270.tif 000015
【図１７】
2008087270.tif 000016
【図１８】
2008087270.tif 000017
【図１９】
2008087270.tif 000018
【図２０】
2008087270.tif 000019
【図１】
2008087270.tif 000020
【図１１】
2008087270.tif 000021
【図１３】
2008087270.tif 000022